(57)【特許請求の範囲】
【請求項１】
スクランブル処理された複数の番組データと、前記各番組データが属するネットワークのスクランブル方式に対応した属性データが同時にパケットストリームとして伝送される通信系におけるデジタル信号受信装置であって、
前記デジタル信号受信装置の動作を制御する制御手段と、
前記番組データの属性データに応じて異なるデスクランブル処理のためのキーデータを保持し、外部から駆動されてデータを出力する複数の記憶手段と、
該複数の記憶手段が同時に装着可能であり、受信している番組データに対応する記憶手段を選択する情報読取手段と、
前記情報読取手段からの受信番組データに対応したキーデータに応じて、該受信番組データをデスクランブル処理する手段とを備え、
前記記憶手段は、電源オン時に所定の初期化処理が必要であり、
前記制御手段は、
データを保持するメモリ手段を含み、
前記情報読取手段を制御して、装置の主電源がON状態である場合に全ての記憶手段に電源供給して初期化済状態を維持させると共に、番組受信していない待機状態において、所定の時間間隔で前記各ネットワークから所定の更新データを取得し、前記メモリ手段に格納することを特徴とするデジタル信号受信装置。
【請求項２】
複数の番組データの各々が複数のパケットに分割され、かつスクランブルされて伝送され、前記各番組データが属するネットワークのスクランブル方式に対応した属性データが同時に伝送される通信系におけるデジタル信号受信装置であって、
外部からの制御信号に応じて、前記デジタル信号受信装置の動作を制御する制御手段と、
前記番組データおよび属性データを含む信号を伝送する搬送波を受けて、復調する手段と、
前記番組データの属性データに応じて異なるデスクランブル処理のためのキーデータを保持し、外部から駆動されてデータを出力する複数の記憶手段と、
該複数の記憶手段が同時に装着可能であり、受信している番組データに対応する記憶手段を選択する情報読取手段と、
前記復調手段からの出力を受け、前記情報読取手段からの受信番組データに対応したキーデータに応じて、該受信番組データをデスクランブル処理する手段と、
前記制御手段により制御され、前記デスクランブルされた信号から画像音響信号を抽出する復号手段とを備え、
前記記憶手段は、電源オン時に所定の初期化処理が必要であり、
前記制御手段は、
データを保持するメモリ手段を含み、
前記情報読取手段を制御して、装置の主電源がON状態である場合に全ての記憶手段に電源供給して初期化済状態を維持させると共に、番組受信していない待機状態において、所定の時間間隔で前記各ネットワークから所定の更新データを取得し、前記メモリ手段に格納することを特徴とするデジタル信号受信装置。
【請求項３】
前記記憶手段は、ＩＣカードであり、
前記情報読取手段は、前記各ＩＣカードに電源電位を供給する電源電位供給手段と、
前記制御手段により制御され、対応するＩＣカードにクロック信号を供給するクロック信号供給手段とを含む、請求項２記載のデジタル信号受信装置。
【請求項４】
前記所定の更新データは、番組ガイドデータであり、
前記制御手段は、外部からの指示に応じて、前記複数のネットワークに対応する番組ガイドデータのうち、任意の個数のネットワークに対応する番組ガイドデータを出力する、請求項３記載のデジタル信号受信装置。
【発明の詳細な説明】
【０００１】
【発明の属する技術分野】
この発明は、デジタル信号受信装置に関し、より特定的には、デジタル衛星放送を受信して、対応する画像および音響信号を出力するデジタル信号受信装置に関する。
【０００２】
【従来の技術】
デジタル衛星放送が実用化され、地上波放送、アナログ衛生放送やケーブルテレビ放送などの従来のどの放送よりも多いチャンネル数の放送が行われている。
【０００３】
このような多チャンネル放送は、動画圧縮技術（高効率符号化方式）の国際標準であるＭＰＥＧ２（Ｍｏｖｉｎｇ  Ｐｉｃｔｕｒｅ  Ｅｘｐｅｒｔｓ  Ｇｒｏｕｐ  ｐｈａｓｅ２）とデジタル伝送方式の組み合わせにより実現されている。
【０００４】
衛星放送に搭載した、たとえば、２７ＭＨｚのトランスポンダ（中継器）１本を利用したとき、これまでのアナログ方式では１チャンネルのテレビ放送しか提供できなかった。デジタル放送では、たとえば１チャネル分の映像の符号化速度が６Ｍビット／秒の場合、４チャンネル分の放送が可能となる。
【０００５】
ここで、有料放送を行う場合には、伝送データに対するスクランブル処理と、受信機側でのデスクランブル処理を行うためのコンディショナル・アクセス・システムとが必須である。
【０００６】
図１０は、このような衛星放送による画像放送のシステムの一例の概要を説明するための図である。
【０００７】
番組供給業者からの種々の番組は、ＭＰＥＧエンコーダで圧縮されてデジタル化され、１８８バイト単位のＭＰＥＧ２トランスポート・パケットのパケット・ストリームに変換される。これら番組データは、基本的には、有料放送であるため、画像、音声のパケットはパケットごとに暗号化（スクランブル）されている。このスクランブルを解く鍵は、関連情報として映像・音声信号とともにパケットの一つとして送信される。
【０００８】
ただし、後に説明するように、スクランブルが不法に解除されることのないように、この伝送される鍵自体も暗号化されており、これを解くための各個人の鍵は、各受信機に挿入されているＩＣカードの中に、それぞれ秘密に格納されている。たとえば、特定の番組供給業者からの放送に対しても、その放送のうちのどの番組のスクランブルを解くことができるかについては、各受信者の契約情報をもとに送信側から選択できる構成となっている。
【０００９】
通常は、視聴者の契約はチャンネルごとに行われ、契約したチャンネルの番組は常に視聴可能であるが、ペイパービュー（以下、ＰＰＶ）と呼ばれる契約形態も存在する。すなわち、たとえば２時間のある映画番組だけをその都度、有料で視聴可能とする契約形態である。受信機のリモコンの操作により、ＰＰＶの番組を視聴可能となり、たとえば、月末に、その月に見たＰＰＶの番組の情報が自動的に顧客管理システムに伝送されて課金される。
【００１０】
【発明が解決しようとする課題】
図１１は、デジタル衛星放送を受信するための従来のデジタル信号受信装置２０００の構成を示す概略ブロック図である。
【００１１】
デジタル信号受信装置２０００は、アンテナ１００により受信された衛星波を受け、受信トランスポンダの切換、受信した信号の復調、誤り訂正を行い、ＭＰＥＧ２トランスポート・ストリームを出力するチューナモジュール１０２と、トランスポート・ストリームを受けて、ＩＣカード１２４から供給されるデスクランブル用の鍵データＫｓを用いてデスクランブル処理を行うデスクランブルＬＳＩ１０４と、デスクランブルＬＳＩ１０４から転送されるデータを受けて、視聴者の選局操作に基ずくＰＳＩ（プログラム仕様情報）を受信し、トランスポート・ストリームの中から必要な映像データおよび音声データに対応するパケットを抽出し、それぞれ対応する復号化ＬＳＩ１０８および１１８に出力するトランスポート・ストリーム処理ＬＳＩ１０６とを含む。
【００１２】
デジタル信号受信装置２０００は、さらに、トランスポート・ストリーム処理ＬＳＩ１０６からの出力を受けて、圧縮処理前の映像データに変換するＭＰＥＧ２ビデオ復号化ＬＳＩ１０８と、ＭＰＥＧ２ビデオ復号化ＬＳＩ１０８からの復号信号を受けて、ＮＴＳＣ信号（コンポジット信号）に変換して出力するＮＴＳＣ変換ＬＳＩ１１０とを含む。ここで、たとえば、コンポーネント信号（輝度（Ｙ）信号と色信号（Ｃ）を分離した信号）を出力する端子も備えられている。
【００１３】
デジタル信号受信装置２０００は、さらに、トランスポート・ストリーム処理ＬＳＩ１０６からの出力を受けて、データ圧縮する前の音声データに変換して出力するＭＰＥＧ１オーディオ復号化ＬＳＩ１１８と、ＭＰＥＧ１オーディオ復号化ＬＳＩ１１８からの復号信号を受けて、Ｄ−Ａ変換して出力するＤ−Ａ変換ＬＳＩ１２０とを含む。
【００１４】
ＮＴＳＣ変換ＬＳＩ１１０とＤ−Ａ変換ＬＳＩ１２０とからの信号は、表示装置（たとえば、テレビ受像機）１２６に入力され、対応する画像および音声が出力される。
【００１５】
ＩＣカード１２４は、暗号化された状態で伝送されるスクランブル鍵Ｋｓの暗号解除、ＰＰＶ視聴記録の一次保存、受信機本体へのモデムの発呼指示といった課金・通信関連制御を行う。
【００１６】
スクランブル鍵Ｋｓの暗号解除に必要な鍵データ（ワーク鍵Ｋｗとマスター鍵Ｋｍ）は、トランスポート・ストリーム処理ＬＳＩ１０６で分離され、ＩＣカード１２４に転送される。
【００１７】
制御用ＣＰＵ１１２は、上記のような処理をすべて制御する。また、制御用ＣＰＵ１１２は、番組表（ＥＰＧ：Ｅｌｅｃｔｒｉｃ  Ｐｒｏｇｒａｍ  Ｇｕｉｄｅ）データを受信してメモリ１１４に格納し、各種機能、たとえば番組表の表示装置１２６への出力等を実現するためのソフトウェア処理、ＩＣカード上の処理、モデムに関連した通信処理等も実行する。
【００１８】
また、視聴者からの指示は、リモコン１２２により発せられる信号をユーザ・インターフェース回路１１６が受けて、制御用ＣＰＵ１１２に与えることにより行われる。
【００１９】
図１２は、送信側で行われるスクランブル処理を行うシステムおよび受信側でデスクランブルを行うコンディショナル・アクセス・システムの構成を示す概略図である。
【００２０】
スクランブル処理およびデスクランブル処理は、共通鍵暗号方式による３種類の鍵を使って行われる。
【００２１】
送信側において、映像などの送信データをスクランブルするのには、スクランブル鍵Ｋｓが用いられる。スクランブル鍵Ｋｓは、ワーク鍵Ｋｗを用いることで暗号化され、衛星波に多重化されて配送される。ワーク鍵Ｋｗも、マスタ鍵Ｋｍを用いることで暗号化され、衛星波に多重化されて配送される。
【００２２】
受信側においては、衛星波から分離されたワーク鍵Ｋｗは、ＩＣカード中のマスタ鍵Ｋｍにより復号化される。また、衛星波から分離されたスクランブル鍵Ｋｓは、復号化されたワーク鍵Ｋｗにより復号化され、ＩＣカードから出力される。この鍵Ｋｓを用いて、映像信号等のデスクランブル処理が行われる。
【００２３】
図１３は、単一の番組供給業者からの放送を受信している状態、すなわち、単一のネットワークからの放送を受信している状態でのデジタル信号受信装置２０００の動作を説明するためのフローチャートである。
【００２４】
まず、メイン電源がＯＮ状態である場合（ステップＳ１００）、制御用ＣＰＵ１１２は、装置の初期化、たとえばＩＣカードの初期化等が完了しているか否かの判断を行い（ステップＳ１０２）、初期化が完了していない場合は、初期化処理を行う（ステップＳ１０４）。
【００２５】
一方、初期化処理が完了している場合、制御用ＣＰＵ１１２は、スタンバイ状態での処理、すなわち、時間データの取得、予約番組のデータ取得、メールの取得、視聴記録転送等の処理を行う（ステップＳ１０６）。
【００２６】
続いて、ネットワークとのアップリンクの判断を行い（ステップＳ１０８）、アップリンクしている場合は視聴記録の転送を行い（ステップＳ１１０）、処理はステップＳ１０６に復帰する（ステップＳ１２４）。
【００２７】
アップリンク指示がない場合、制御用ＣＰＵ１１２は、電源がＯＮであるか否かの判断を行う（ステップＳ１１２）。
【００２８】
電源ＯＮでない場合、制御用ＣＰＵ１１２は、予約番組の開始時間であるかの判断を行い（ステップＳ１１４）、開始時間でない場合は処理はステップＳ１０６に復帰し（ステップＳ１２４）、開始時間である場合は、予約番組の実行処理を行う（ステップＳ１１６）。
【００２９】
続いて、視聴者からの指示に基づいて、制御用ＣＰＵ１１２は、選択番組の提示（ステップ１１８）、番組表の提示（ステップＳ１２０）、メニュー表示（Ｓ１２２）等の処理を選択的に行う。
【００３０】
以上の処理の後、制御用ＣＰＵ１１２は、電源ＯＦＦの指示があるか否かの判断を行い（ステップＳ１２２）、指示がなければステップＳ１０６に処理を復帰させ、指示がある場合は、終了処理を実行し（ステップＳ１２４）、処理はステップＳ１０６に復帰する。
【００３１】
従来のデジタル信号受信装置２０００は、以上のような構成および動作を行うので以下のような問題があった。
【００３２】
ここで、複数の衛星（ネットワーク）からデジタル放送を受信するには、複数の衛星からの電波を受信するアンテナを有し、受信するネットワークを切り替える必要がある。そこで、１台の受信機で複数のネットワークの映像などを同時に受信することは一般にはできない。同時に受信する場合は、複数のチューナ、トランスポートストリーム処理ＬＳＩ、ＭＰＥＧ復号化ＬＳＩ等が必要となり、システムの構成上、コスト等を考慮すると現実的でない。
【００３３】
すなわち、１台の受信機で複数の衛星または同じ衛星内の複数のネットワークを受信するためには、ネットワークの切換とネットワークに対応したＩＣカードの切換が必要となる。
【００３４】
選択的に単一のネットワークからしか受信しない構成とした場合、デジタル放送の受信機では、映像を受信していない電源ＯＦＦ（メイン電源はＯＮ）状態でもメール、番組ガイドやアップリンク指示等のデータを取得しているため、スタンバイ状態で一つのネットワークのみからの情報しか受け取っていないときは、複数のネットワークについての番組ガイドを同時に表示したりすることや、一方のネットワークの画像等を見ながら、他方のネットワークの番組ガイド表示を見ること等は不可能である。
【００３５】
本発明は、上記のような問題点を解決するためになされもので、その目的は、複数のネットワークからの放送を受信している場合でも、スタンバイ状態において各ネットワークからの各種情報を取得することが可能なデジタル信号受信装置を提供することである。
【００３６】
【課題を解決するための手段】
請求項１記載のデジタル信号受信装置は、スクランブル処理された複数の番組データと、前記各番組データが属するネットワークのスクランブル方式に対応した属性データが同時にパケットストリームとして伝送される通信系におけるデジタル信号受信装置であって、
前記デジタル信号受信装置の動作を制御する制御手段と、前記番組データの属性データに応じて異なるデスクランブル処理のためのキーデータを保持し、外部から駆動されてデータを出力する複数の記憶手段と、該複数の記憶手段が同時に装着可能であり、受信している番組データに対応する記憶手段を選択する情報読取手段と、前記情報読取手段からの受信番組データに対応したキーデータに応じて、該受信番組データをデスクランブル処理する手段とを備え、前記記憶手段は、電源オン時に所定の初期化処理が必要であり、前記制御手段は、データを保持するメモリ手段を含み、前記情報読取手段を制御して、装置の主電源がON状態である場合に全ての記憶手段に電源供給して初期化済状態を維持させると共に、番組受信していない待機状態において、所定の時間間隔で前記各ネットワークから所定の更新データを取得し、前記メモリ手段に格納することを特徴とする。
【００３７】
請求項２記載のデジタル信号受信装置は、複数の番組データの各々が複数のパケットに分割され、かつスクランブルされて伝送され、前記各番組データが属するネットワークのスクランブル方式に対応した属性データが同時に伝送される通信系におけるデジタル信号受信装置であって、外部からの制御信号に応じて、前記デジタル信号受信装置の動作を制御する制御手段と、前記番組データおよび属性データを含む信号を伝送する搬送波を受けて、復調する手段と、前記番組データの属性データに応じて異なるデスクランブル処理のためのキーデータを保持し、外部から駆動されてデータを出力する複数の記憶手段と、該複数の記憶手段が同時に装着可能であり、受信している番組データに対応する記憶手段を選択する情報読取手段と、前記復調手段からの出力を受け、前記情報読取手段からの受信番組データに対応したキーデータに応じて、該受信番組データをデスクランブル処理する手段と、前記制御手段により制御され、前記デスクランブルされた信号から画像音響信号を抽出する復号手段とを備え、前記記憶手段は、電源オン時に所定の初期化処理が必要であり、前記制御手段は、データを保持するメモリ手段を含み、前記情報読取手段を制御して、装置の主電源がON状態である場合に全ての記憶手段に電源供給して初期化済状態を維持させると共に、番組受信していない待機状態において、所定の時間間隔で前記各ネットワークから所定の更新データを取得し、前記メモリ手段に格納することを特徴とする。
【００３８】
請求項３記載のデジタル信号受信装置は、前記記憶手段は、ＩＣカードであり、前記情報読取手段は、前記各ＩＣカードに電源電位を供給する電源電位供給手段と、前記制御手段により制御され、対応するＩＣカードにクロック信号を供給するクロック信号供給手段とを含む。
【００３９】
請求項４記載のデジタル信号受信装置は、前記所定の更新データは、番組ガイドデータであり、前記制御手段は、外部からの指示に応じて、前記複数のネットワークに対応する番組ガイドデータのうち、任意の個数のネットワークに対応する番組ガイドデータを出力する。
【００４０】
【発明の実施の形態】
図１は、本発明の実施の形態のデジタル信号受信装置１０００の構成を示す概略ブロック図であり、図１１と対比される図である。
【００４１】
図１１の従来のデジタル信号受信装置２０００の構成と異なる点は、複数のＩＣカードを同時に受け入れることが可能なＩＣカードスロット１３０が設けられる構成となっている点である。その他の点は、基本的にデジタル信号受信装置２０００の構成と同様であり、同一部分には同一参照符号を付して、説明は繰り返さない。
【００４２】
すなわち、デジタル信号受信装置１０００は、複数のＩＣカードからのデータを同時に受け取ることが可能で、複数のネットワークからの衛星波をデスクランブル処理することが可能である構成において、複数のネットワークに対して、チューナモジュール１０２，デスクランブルＬＳＩ１０４、トランスポートストリーム処理ＬＳＩ１０６、ＭＰＥＧ２ビデオ復号化ＬＳＩ１０８、ＭＰＥＧ１オーディオ復号化ＬＳＩ１１８等を共用化する構成となっている。
【００４３】
図２は、デジタル衛星放送のパケットストリームの構成を示す概念図である。パケットストリームは、ビデオデータ、オーディオデータおよび番組に付加する付加情報を時分割多重して含む。
【００４４】
ビデオ、オーディオデータと付加情報はそれぞれＴＳパケット（Ｔｒａｎｓｐｏｒｔ  Ｓｔｒｅａｍ  Ｐａｃｋｅｔ）と呼ばれる決まった大きさのまとまり（１８８バイト）に小さく分割され、それらを時分割的に混在されて、すなわち多重化されて放送される。
【００４５】
各ＴＳパケットにはＰＩＤ（Ｐａｃｋｅｔ  ＩＤ）と呼ばれる、ＴＳパケットを識別するための番号が付されている。
【００４６】
同種類のデータに対しては、同一のＰＩＤが割り当てられる。図２においては、まずＰＩＤがｖ１、ｖ２のビデオデータ、ｏ１，ｏ２のオーディオデータが存在する。さらに、それに続いてＰＩＤがｖ５のビデオデータ、ｏ５のオーディオデータが存在する。
【００４７】
付加情報データには、たとえば以下の３種のデータが含まれる。すなわち、第１には、ＰＡＴ（Ｐｒｏｇｒａｍ  Ａｓｓｏｃｉａｔｉｏｎ  Ｔａｂｌｅ）と呼ばれる、後に説明するＰＭＴのＰＩＤ情報を示すデータ、ＰＭＴ（Ｐｒｏｇｒａｍ  Ｍａｐ  Ｔａｂｌｅ）と呼ばれる現在放送中のチャンネルの情報データ、ＥＩＴ（Ｅｖｅｎｔ  Ｉｎｆｏｒｍａｔｉｏｎ  Ｔａｂｌｅ）と呼ばれる放送予定の番組情報などである。
【００４８】
ＰＡＴ，ＰＭＴ，ＥＩＴにもＰＩＤがつけられており、ＰＡＴのＰＩＤは１６進表示で００００，ＥＩＴのＰＩＤは１６進表示で００１２と規格で定められている。ＰＭＴのＰＩＤはＰＡＴ内に記述されている。
【００４９】
受信機は、最初にＰＡＴを受信して、視聴者が選択したチャンネルに対応するＰＭＴを探し出して、チャンネルの情報を取得する。
【００５０】
また、受信機は、ＥＩＴの情報を用いて番組表をＴＶ画面に表示したり、録画予約を行う。
【００５１】
番組が録画予約されると、ＰＭＴの観測を継続し、指定の番組コードが来れば、番組の出力や録画等の予約番組に対する処理を実行し、その後、番組コード番号が変化すると当該処理を終了する。
【００５２】
図３は、ＰＡＴの構成を示す概念図である。図３に示されるように、ＰＡＴは現在放送中である各チャンネルの情報が記録されているＰＭＴのＰＩＤを記録したテーブルである。
【００５３】
すなわち、ＰＡＴにはチャンネル番号とＰＭＴのＰＩＤとが対となって、チャンネルの数だけ含まれている。
【００５４】
受信機は最初にＰＡＴを受信して、選択されたチャンネルに対応するＰＭＴを探し出して、チャンネル情報を取得する。たとえば、チャンネルｎが選択された場合、ＰＩＤがｐｎ番であるＰＭＴの取得が行われる。ＰＡＴは、０．１秒以下の時間間隔で繰り返し送信される。
【００５５】
図４は、ＰＭＴの構成を示す概念図である。図４に示されるように、ＰＭＴは現在放送中である各チャンネルの情報が記録されているテーブルである。
【００５６】
すなわち、ＰＭＴには、ＰＩＤで指定される領域にチャンネル番号、暗号化情報、コピー許可情報、現在放送中の番組コード、ビデオデータのＰＩＤ番号およびオーディオデータのＰＩＤ番号等がチャンネルの数だけ含まれている。
【００５７】
受信機は、番組予約された番組コードを観測し、指定の番組コードが受信されると、対応する処理を開始する。ＰＡＴは、０．１秒以下の時間間隔で繰り返し送信される。
【００５８】
図５は、ＥＩＴの構成を示す概念図である。図５に示されるように、ＥＩＴは放送予定の番組情報が記録されているテーブルである。
【００５９】
すなわち、ＥＩＴには、ＰＩＤで指定される領域にチャンネル番号、放送日等を含み、それに続いて、各番組に対応して、番組番号、開始時刻、番組名、番組説明情報、番組コード等が番組の数だけ含まれている。
【００６０】
受信機は、たとえば、番組コードがｃ１である番組が番組予約されると、ＰＭＴを観測し、指定の番組コードが受信されると、対応する処理を開始する。ＰＡＴは、約１秒の時間間隔で繰り返し送信される。
【００６１】
１個のチューナーで受信する場合には、ある一時点をとってみれば、受信している番組提供業者に対応する、第１または第２のＩＣカード１３０２、１３１０のいづれかが動作する。
【００６２】
すなわち、一つのシリアルチャンネルを随時切り換えることによって、複数のネットワークからの受信に対応することが可能である。
【００６３】
図６は、２つの番組供給業者からの放送を受信している状態、すなわち、２つのネットワークからの放送を受信している状態でのデジタル信号受信装置１０００の動作を説明するためのフローチャートである。
【００６４】
まず、メイン電源がＯＮ状態である場合（ステップＳ２００）、制御用ＣＰＵ１１２は、装置の初期化、たとえばＩＣカードの初期化等が完了しているか否かの判断を行い（ステップＳ２０２）、初期化が完了していない場合は、初期化処理を行う（ステップＳ２０４）。
【００６５】
一方、初期化処理が完了している場合、制御用ＣＰＵ１１２は、装置の状態をスタンバイ状態へ移行させる（ステップＳ２０６）。続いて、スタンバイ状態での処理、すなわち、ネットワークＡに対する時間データの取得、予約番組のデータ取得、メールの取得、視聴記録転送等の処理を行う（ステップＳ２０８）。
【００６６】
続いて、ネットワークＡとのアップリンクの判断を行い（ステップＳ２１０）、アップリンクしている場合は視聴記録の転送を行い、処理はステップＳ２０６に復帰する（ステップＳ２１２）。
【００６７】
ネットワークＡとアップリンクしてない場合、制御用ＣＰＵ１１２は、続いて、スタンバイ状態での処理、すなわち、ネットワークＢに対する時間データの取得、予約番組のデータ取得、メールの取得、視聴記録転送等の処理を行う（ステップＳ２１４）。
【００６８】
上記処理の終了後、制御用ＣＰＵ１１２は、ネットワークＢとのアップリンクの判断を行い（ステップＳ２１６）、アップリンクしている場合は視聴記録の転送を行い、処理はステップＳ２０６に復帰する（ステップＳ２１８）。
【００６９】
続いて、電源がＯＮであるか否かの判断が行われる（ステップＳ２２０）。
電源ＯＮでない場合、制御用ＣＰＵ１１２は、予約番組の開始時間であるかの判断を行い（ステップＳ２２２）、開始時間でない場合は処理をステップＳ２０６に復帰させ（ステップ２２２）、開始時間である場合は、予約番組の実行処理を行う（ステップＳ２２４）。
【００７０】
続いて、視聴者からの指示に基づいて、制御用ＣＰＵ１１２は、選択番組の提示（ステップ２２６）、番組表の提示（ステップＳ２２８）、メニュー表示（Ｓ２３０）等の処理を選択的に行う。
【００７１】
以上の処理の後、制御用ＣＰＵ１１２は、電源ＯＦＦの指示があるか否かの判断を行い（ステップＳ２３２）、指示がなければステップＳ２０６に処理を復帰させ、指示がある場合は、終了処理を実行し（ステップＳ２３４）、処理をステップＳ２０６に復帰させる。
【００７２】
本発明においては、上述のとおり、待機状態において２つあるいはそれ以上のネットワークからのデータ取得を行うことが可能である。しかも、ネットワークの切換の際、ＩＣカードのリセットシーケンス等をその都度行う必要がない。
【００７３】
スタンバイ状態において、複数のネットワークからのデータ取得、すなわち、各ネットワークのメールの有無の判断、時間および予約番組の変更の有無の判断、視聴履歴の転送指示の有無の判断、現放送の番組データ（番組ガイドデータ）の取得等を行っていることにより、以下に説明するような処理を行うことが可能である。
【００７４】
図７は、単一のネットワークに対する番組ガイドの表示画面の一例を示す図である。上段から、現在受信中のチャンネル番号、放送中の番組の放送時間、有料・無料の別、番組名等が表示され、さらに、その下段には、当該ネットワークで放送される各チャンネルの番組放送予定が表示されている。
【００７５】
このような、単一のネットワークに対する番組ガイド表示のみであれば、従来のデジタル信号受信装置でも表示可能である。
【００７６】
図８は、二つのネットワークに対する番組ガイドを並列して表示した表示例を示す図である。
【００７７】
本実施の形態のデジタル信号受信装置１０００は、スタンバイ期間中にネットワークＡおよびネットワークＢの両方の番組ガイドデータを取得しているので、電源ＯＮ時には受信ネットワークの番組ガイド以外に他方の番組ガイドを表示させることが可能である。
【００７８】
図９は、画面半分に受信中のネットワークＢの画像を出力しつつ、残り半分の画面に他方のネットワークＡの番組ガイドを表示した表示例を示す図である。
【００７９】
スタンバイ期間中に、受信するネットワークＡ以外のネットワークＢについての番組ガイドを取得しているため、このような表示を行うことも可能となる。
【００８０】
その他、スタンバイ中に各ネットワークについてデータ取得等を行うことにより、チューニングされている以外のネットワークを含む各ネットワークの番組予約が可能となったり、各ネットワークでのメールの取得が可能となったり、視聴履歴転送の失敗を減少させることが可能になるという効果も得られる。
【００８１】
以上の説明では、２つのネットワークについて受信する場合を説明したが、この発明は、このような場合に限定されず、ＩＣカードスロット１３０の構成を変更することで、より多くのネットワークを受信することも可能である。
【００８２】
【発明の効果】
以上説明したとおり、本発明によれば、複数のネットワークからのスクランブルされた番組データを受信する場合に、受信装置がスタンバイ状態において各ネットワークからの付加情報を取得し保持しているので、複数のネットワークからのメールの受け取りや、アップリンクが可能となる。さらに、現在受信中のネットワーク以外の番組ガイドを現在受信中のネットワークに対する番組ガイドと同時に表示させたり、現在受信中のネットワークの番組の映像を表示させつつ、他方の番組ガイドの表示を行わせることが可能となる。また、複数のネットワークに対する番組予約も可能となる。
【図面の簡単な説明】
【図１】本発明の実施の形態のデジタル信号受信装置１０００の構成を示す概略ブロック図である。
【図２】デジタル衛星放送のパケットストリームの構成を示す模式図である。
【図３】ＰＡＴの構成を示す模式図である。
【図４】ＰＭＴの構成を示す模式図である。
【図５】ＥＩＴの構成を示す模式図である。
【図６】デジタル信号受信装置１０００の動作を示すフローチャートである。
【図７】番組ガイドの表示例を示す図である。
【図８】２つのネットワークの番組ガイドを同時に表示する表示例を示す図である。
【図９】受信中の画像と非受信中ネットワークの番組ガイドを同時に表示する表示例を示す模式図である。
【図１０】デジタル衛星放送システムの構成を示す概念図である。
【図１１】従来のデジタル信号受信装置２０００の構成を示す概略ブロック図である。
【図１２】スクランブル処理を行うシステムおよびデスクランブルを行うシステムの構成を示す概略図である。
【図１３】従来のデジタル信号受信装置の２０００の動作を説明するフローチャートである。
【符号の説明】
１００  アンテナ
１０２  チューナモジュール
１０４  デスクランブルＬＳＩ
１０６  トランスポートストリーム処理ＬＳＩ
１０８  ＭＰＥＧ２ビデオ復号ＬＳＩ
１１０  ＮＴＳＣ変換ＬＳＩ
１１２  制御用ＣＰＵ
１１４  メモリ
１１６  ユーザインターフェース回路
１１８  ＭＰＥＧ１オーディオ復号ＬＳＩ
１２０  Ｄ−Ａ変換ＬＳＩ
１２２  リモコン
１２４  ＩＣカード
１２６  表示装置
１０００、２０００  デジタル信号受信装置
【図１】
0003561599.tif 000002
【図２】
0003561599.tif 000003
【図３】
0003561599.tif 000004
【図４】
0003561599.tif 000005
【図５】
0003561599.tif 000006
【図６】
0003561599.tif 000007
【図７】
0003561599.tif 000008
【図８】
0003561599.tif 000009
【図９】
0003561599.tif 000010
【図１０】
0003561599.tif 000011
【図１１】
0003561599.tif 000012
【図１２】
0003561599.tif 000013
【図１３】
0003561599.tif 000014